(57)【要約】　　　（修正有）【課題】剛毛を不使用時には、隠されるようにして、ほこり清掃用ブラシの美感を向上させたほこり清掃用ブラシを提供する。【解決手段】ほこり清掃用ブラシ組立体は、固定用シート２と、回転バレル３と、外側飾りバレル５と、ブラシ棒４とを含む。そこで、ほこり清掃用ブラシ組立体は容易にかつ都合良く作動できる。加えて、ブラシ棒の剛毛は、不使用時には外側飾りバレルに完全に隠されることによって、ほこり清掃用ブラシ組立体の美感を向上させる。【選択図】図２
0003097534.tif 000002
【実用新案登録請求の範囲】
【請求項１】
回転バレルと、外側飾りバレルと、ブラシ棒とからなり、該回転バレルは上端に、壁部に転りボールを受け入れる受け入れ孔を形成した
挿入部が形成され；
前記外側飾りバレルは回転バレルに回転可能に取り付けられ、内壁に複数の細長摺動路が形成され；さらに
前記ブラシ棒は回転バレルに摺動可能に取り付けられ、上端に各摺動路のそれぞれに摺動可能に取り付けられる複数の対向案内リブを形成し、下端に転りボールを案内する螺旋状ねじ部を形成した、ほこり清掃用ブラシ組立体。
【請求項２】
前記挿入部は外周に環状みぞを形成し、外側飾りバレルの内壁は下部に、外側飾りバレルが回転バレルに回転可能に取り付けられるように、環状みぞに締め付けられる複数の締め付けリブを形成した、請求項１に記載のほこり清掃用ブラシ組立体。
【請求項３】
前記挿入部は上部に２つの半径方向に対向する開口を形成した、請求項１に記載のほこり清掃用ブラシ組立体。
【請求項４】
前記案内リブの各々は底部に突出ボスを備える、請求項１に記載のほこり清掃用ブラシ組立体。
【請求項５】
前記外側飾りバレルは外壁に飾りを形成した、請求項１に記載のほこり清掃用ブラシ組立体。
【請求項６】
さらに前記回転バレルは、固定用座部に取り付けられる、固定用座部を有する請求項１に記載のほこり清掃用ブラシ組立体。
【請求項７】
前記固定用座部は、内側に挿入孔を形成し、回転バレルは下端に、挿入孔に挿入される先端を備える、請求項６に記載のほこり清掃用ブラシ組立体。
【考案の詳細な説明】
【０００１】
【考案の属する技術分野】
本実用新案は，ほこり清掃用ブラシ組立体に関する。
【０００２】
【従来の技術】
図１に示す従来のほこり清掃用ブラシは、ハンドル１と、ハンドル１の上部に取り付けた複数の剛毛１１とからなる。そこで、この従来のほこり清掃用ブラシは、ほこりや汚れ等を清掃したり除去するために使用される。しかし、剛毛１１は不使用時にハンドル１から外方に突出しているので、従来のほこり清掃用ブラシの美感を減ずる。
【０００３】
【考案の解決しようとする課題】
この考案は、剛毛を不使用時には、隠されるようにして、ほこり清掃用ブラシの美感を向上させたほこり清掃用ブラシを提供することを目的とする。
【０００４】
【課題を解決するための手段】
上記目的に沿う本考案の構成は、回転バレルと、外側飾りバレルと、ブラシ棒とからなり、該回転バレルは上端に、壁部に転りボールを受け入れる受け入れ孔を形成した
挿入部が形成され；
前記外側飾りバレルは回転バレルに回転可能に取り付けられ、内壁に複数の細長摺動路が形成され；さらに
前記ブラシ棒は回転バレルに摺動可能に取り付けられ、上端に各摺動路のそれぞれに摺動可能に取り付けられる複数の対向案内リブを形成し、下端に転りボールを案内する螺旋状ねじ部を形成したことを特徴とする。
【０００５】
【考案の実施の形態】
図２から図４を参照すると、本実用新案のほこり清掃用ブラシ組立体は、固定用座部２と、回転バレル３と、ブラシ棒４と、外側飾りバレル５とからなる。
【０００６】
固定用座部２は底部に吸引部２１を備える。固定用座部２は内側に挿入孔２２が形成されている。
【０００７】
回転バレル３は、固定用座部２に取り付けられる。回転バレル３は、上端に環状挿入部３２が形成されている。挿入部３２は、外周に環状溝３３が形成されている。挿入部３２は、壁部に転りボール３５を受け入れる受け入れ孔３４が形成されている。挿入部３２は、上部に回転バレル３の組み立てを容易にするため２つの半径方向に対向する開口３６が形成されている。回転バレル３は下端に、挿入孔２２に挿入される筆記用先端部３１を備える。
【０００８】
ブラシ棒４は回転バレル３に摺動可能に取り付けられ、上部に複数の剛毛４１を備える。ブラシ棒４は上端に、複数の対向案内リブ４２を備え、各リブ４２は停止を行う突出ボス４３を底部に備えている。ブラシ棒４は下端に、転りボール３５を受け入れ案内する螺旋状ねじ部４４が形成されている。
【０００９】
外側飾りバレル５は、回転バレル３に回転可能に取り付けられ、外壁に飾り５１が形成され、内壁に複数の細長摺動路５２が形成されている。案内リブ４２の各々は摺動路５２のそれぞれに摺動可能に取り付けられ、突出ボス４３は、ブラシ棒４が図５に示すように最上位置に上昇されるとそれぞれ摺動路５２の上壁５２０に静止する。外側飾りバレル５の内壁は下部に、環状みぞ３３に押し込み締め付けられる複数の締め付けリブ５３が形成されて、外側飾りバレル５が取り外さずに回転バレル３に回転可能に取り付けられるようになっている。
【００１０】
図２から図５を参照して、作動を説明する。回転バレル３は外側飾りバレル５にたいし回転して螺旋状ねじ４４に案内移動される転りボール３５を回転することによって、ブラシ棒４を上昇させて、ブラシ棒４が図４に示す位置から図５に示す位置に移動できるようにすることによって、剛毛４１が外側飾りバレル５から外方に完全に突出して使用されるように剛毛４１を露出する。さらに、ブラシ棒４が図５に示すように最上位置まで上昇されると、突出ボス４３がそれぞれ摺動路５２の上壁５２０に静止することによって、ブラシ棒４が外側飾りバレル５から外れないようにする。不使用時には、回転バレル３は逆方向に外側飾りバレル５にたいし回転して螺旋状ねじ４４に移動される転りボール３５を回転することによって、ブラシ棒４を下降させて、ブラシ棒４が図５に示す位置から図４に示す位置まで移動できることによって、剛毛４１が外側飾りバレル５に完全に隠れるように、剛毛４１を収縮させる。
【００１１】
従って、回転バレル３は固定用座部２に取り付けられ、吸引部２１はテーブル等水平面に結合されて、ほこり清掃用ブラシ組立体はスペースをとらないで直立状態に配置される。
【００１２】
【考案の効果】
本考案のほこり清掃用ブラシ組立体は、容易にかつ都合良く作動できる。加えて、ブラシ棒の剛毛は、不使用時には外側飾りバレルに完全に隠されることによって、ほこり清掃用ブラシ組立体の美感を向上させる。
【図面の簡単な説明】
【図１】従来のほこり清掃用ブラシの斜視図である。
【図２】本実用新案の分解斜視図である。
【図３】本実用新案の斜視組立図である。
【図４】図３の正面平面横断面図である。
【図５】図４の略作動図である。
【符号の説明】
１　ハンドル
２　固定用シート
３　回転バレル
４　ブラシ棒
５　外側飾りバレル
２１　吸引部
２２　挿入孔
３５　転りボール
４１　剛毛
４４　雄ねじ
５１　飾り
５２　摺動路
【図１】
0003097534.tif 000003
【図２】
0003097534.tif 000004
【図３】
0003097534.tif 000005
【図４】
0003097534.tif 000006
【図５】
0003097534.tif 000007